(57)【特許請求の範囲】
【請求項１】
複数の燃料電池セルを有し、
前記複数の燃料電池セルの各々は、
対向配置された燃料電極および酸素電極と、
前記燃料電極および酸素電極との間に設けられ、電解液を流通させる電解液流路と、
前記燃料電極の前記酸素電極とは反対側に設けられ、燃料を流通させる燃料流路と、
前記燃燃料流路と前記燃料電極との間に設けられた気液分離膜とを備え、
前記電解液流路および燃料流路のうち少なくとも一方は、前記複数の燃料電池セルのうちの少なくとも一部について直列接続されている
燃料電池スタックシステム。
【請求項２】
前記燃料流路は、前記複数の燃料電池セルのうちの少なくとも一部について直列接続され、  前記電解液流路は、前記複数の燃料電池セルの全部について並列接続されている、請求項１記載の燃料電池スタックシステム。
【請求項３】
前記燃料流路は、前記複数の燃料電池セルの全部について並列接続され、前記電解液流路は、前記複数の燃料電池セルのうちの少なくとも一部について直列接続されている、請求項１記載の燃料電池スタックシステム。
【請求項４】
前記燃料流路および前記電解液流路は、前記複数の燃料電池セルのうちの少なくとも一部について直列接続されている、請求項１記載の燃料電池スタックシステム。
【請求項５】
前記電解液流路および前記燃料流路のうちの少なくとも一方は、前記複数の燃料電池セルの全部について直列接続されている、請求項１記載の燃料電池スタックシステム。
【請求項６】
前記燃料あるいは前記電解液に含まれる二酸化炭素を除去し、または前記電解液に含まれる燃料を分離する分離室を備えた、請求項１ないし請求項５のうちいずれか１項に記載の燃料電池スタックシステム。
【請求項７】
複数の燃料電池セルを有する燃料電池スタックシステムを備え、
前記複数の燃料電池セルの各々は、
対向配置された燃料電極および酸素電極と、
前記燃料電極および酸素電極との間に設けられ、電解液を流通させる電解液流路と、
前記燃料電極の前記酸素電極とは反対側に設けられ、燃料を流通させる燃料流路と
前記燃燃料流路と前記燃料電極との間に設けられた気液分離膜とを有し、
前記電解液流路および燃料流路のうち少なくとも一方は、前記複数の燃料電池セルのうちの少なくとも一部について直列接続されている
電子機器。
【発明の詳細な説明】
【技術分野】
【０００１】
本発明は、メタノールを直接燃料電極に供給して反応させる直接型メタノール燃料電池（ＤＭＦＣ；Direct Methanol Fuel Cell ）などの燃料電池スタックシステムおよびこれを用いた電子機器に関する。
【背景技術】
【０００２】
電池の特性を示す指標として、エネルギー密度と出力密度とがある。エネルギー密度とは電池の単位質量あたりのエネルギー蓄積量であり、出力密度とは電池の単位質量あたりの出力量である。リチウムイオン二次電池は、比較的高いエネルギー密度と極めて高い出力密度という二つの特徴を併せもっており、完成度も高いことから、モバイル機器の電源として広く採用されている。しかし、近年、モバイル機器は高性能化にともなって消費電力が増加する傾向にあり、リチウムイオン二次電池にも更なるエネルギー密度および出力密度の向上が求められている。
【０００３】
その解決策として、正極および負極を構成する電極材料の変更、電極材料の塗布方法の改善、電極材料の封入方法の改善などが挙げられ、リチウムイオン二次電池のエネルギー密度を向上させる研究が行われている。しかし、実用化に向けてのハードルはまだ高い。また、現在のリチウムイオン二次電池に使用されている構成材料が変わらない限り、大幅なエネルギー密度の向上を期待することは難しい。
【０００４】
このため、リチウムイオン二次電池に代わる、よりエネルギー密度の高い電池の開発が急務とされており、燃料電池はその候補の一つとして有力視されている。
【０００５】
燃料電池は、アノード（燃料電極）とカソード（酸素電極）との間に電解質が配置された構成を有し、燃料電極には燃料、酸素電極には空気または酸素がそれぞれ供給される。この結果、燃料電極および酸素電極において燃料が酸素によって酸化される酸化還元反応が起こり、燃料がもつ化学エネルギーの一部が電気エネルギーに変換されて取り出される。
【０００６】
既に、さまざまな種類の燃料電池が提案または試作され、一部は実用化されている。これらの燃料電池は、用いられる電解質によって、アルカリ電解質型燃料電池（ＡＦＣ；Alkaline Fuel Cell）、リン酸型燃料電池（ＰＡＦＣ；Phosphoric Acid Fuel Cell ）、溶融炭酸塩型燃料電池（ＭＣＦＣ；Molten Carbonate Fuel Cell）、固体酸化物型燃料電池（ＳＯＦＣ；Solid Electrolyte Fuel Cell ）および固体高分子型燃料電池（ＰＥＦＣ；Polymer Electrolyte Fuel Cell ）などに分類される。このうち、ＰＥＦＣは、他の型式のものと比較して低い温度、例えば３０℃〜１３０℃程度の温度で動作させることができる。
【０００７】
燃料電池の燃料としては、水素やメタノールなど、種々の可燃性物質を用いることができる。しかし、水素などの気体燃料は、貯蔵用のボンベなどが必要になるため、小型化には適していない。一方、メタノールなどの液体燃料は、貯蔵しやすい点で有利である。とりわけ、ＤＭＦＣには、燃料から水素を取り出すための改質器を必要とせず、構成が簡素になり、小型化が容易であるという利点がある。
【０００８】
ＤＭＦＣでは、燃料のメタノールは、通常、低濃度または高濃度の水溶液として、もしくは純メタノールの気体の状態で燃料電極に供給され、燃料電極の触媒層で二酸化炭素に酸化される。このとき生じたプロトンは、燃料電極と酸素電極とを隔てる電解質膜を通って酸素電極へ移動し、酸素電極で酸素と反応して水を生成する。燃料電極、酸素電極およびＤＭＦＣ全体で起こる反応は、化１で表される。
【０００９】
（化１）
燃料電極：ＣＨ3 ＯＨ＋Ｈ2 Ｏ→ＣＯ2 ＋６ｅ- ＋６Ｈ+ 
酸素電極：（３／２）Ｏ2 ＋６ｅ- ＋６Ｈ+ →３Ｈ2 Ｏ
ＤＭＦＣ全体：ＣＨ3 ＯＨ＋（３／２）Ｏ2 →ＣＯ2 ＋２Ｈ2 Ｏ
【００１０】
ＤＭＦＣの燃料であるメタノールのエネルギー密度は、理論的に４．８ｋＷ／Ｌであり、一般的なリチウムイオン二次電池のエネルギー密度の１０倍以上である。すなわち、燃料としてメタノールを用いる燃料電池は、リチウムイオン二次電池のエネルギー密度を凌ぐ可能性を多いに持っている。以上のことから、ＤＭＦＣは、種々の燃料電池のなかで最も、モバイル機器や電気自動車などのエネルギー源として使用される可能性が高い。
【００１１】
しかしながら、ＤＭＦＣには、理論電圧は１．２３Ｖであるにもかかわらず、実際に発電しているときの出力電圧は約０．６Ｖ以下に低下してしまうという問題がある。出力電圧が低下する原因は、ＤＭＦＣの内部抵抗によって生じる電圧降下であって、ＤＭＦＣには、両電極で生じる反応に伴う抵抗、物質の移動に伴う抵抗、プロトンが電解質膜を移動する際に生じる抵抗、更に接触抵抗などの内部抵抗が存在している。メタノールの酸化から電気エネルギーとして実際に取り出すことのできるエネルギーは、発電時の出力電圧と、回路を流れる電気量との積で表されるから、発電時の出力電圧が低下すると、実際に取り出すことのできるエネルギーはその分小さくなってしまう。なお、メタノールの酸化によって回路に取り出せる電気量は、メタノールの全量が化１に従って燃料電極で酸化されるなら、ＤＭＦＣ内のメタノール量に比例する。
【００１２】
また、ＤＭＦＣには、メタノールクロスオーバーの問題がある。メタノールクロスオーバーとは、燃料電極側と酸素電極側とのメタノールの濃度差によってメタノールが拡散移動する現象と、プロトンの移動にともなって引き起こされる水の移動によって、水和したメタノールが運搬される電気浸透現象との二つの機構によって、メタノールが燃料電極側から電解質膜を透過して酸素電極側に到達してしまう現象である。
【００１３】
メタノールクロスオーバーが生じると、透過したメタノールは酸素電極の触媒層で酸化される。酸素電極側でのメタノール酸化反応は、上述した燃料電極側での酸化反応と同じであるが、ＤＭＦＣの出力電圧を低下させる原因になる。また、メタノールが燃料電極側で発電に使われず、酸素電極側で浪費されるので、回路に取り出せる電気量がその分減少してしまう。更に、酸素電極の触媒層は白金（Ｐｔ）−ルテニウム（Ｒｕ）合金触媒ではなく白金（Ｐｔ）触媒であることから、触媒表面に一酸化炭素（ＣＯ）が吸着されやすく、触媒の被毒が生じるなどの不都合もある。
【００１４】
このようにＤＭＦＣには、内部抵抗とメタノールクロスオーバーとによって生じる電圧低下、およびメタノールクロスオーバーによる燃料の浪費という二つの問題があり、これらはＤＭＦＣの発電効率を低下させる原因になっている。そこで、ＤＭＦＣの発電効率を高めるために、ＤＭＦＣを構成する材料の特性を向上させる研究・開発や、ＤＭＦＣの運転条件を最適化する研究・開発が精力的に行われている。
【００１５】
ＤＭＦＣを構成する材料の特性を向上させる研究では、電解質膜および燃料電極側の触媒などに関するものが挙げられる。電解質膜については、現在ポリパーフルオロアルキルスルホン酸系樹脂膜（デュポン社製「Ｎａｆｉｏｎ（登録商標）」）が一般的に用いられているが、これよりも高いプロトン伝導率と高いメタノール透過阻止性能とを有するものとして、フッ素系高分子膜、炭化水素系高分子電解質膜またはハイドロゲルベース電解質膜などが検討されている。燃料電極側の触媒に関しては、現在一般的に用いられている白金（Ｐｔ）−ルテニウム（Ｒｕ）合金触媒よりも高活性な触媒の研究開発が行われている。
【００１６】
このような燃料電池の構成材料の特性向上は、燃料電池の発電効率を向上させる手段として的確である。しかしながら、上述した二つの問題を打破するような最適な触媒が見つからないと同様、最適な電解質膜も見つかっていないのが現状である。
【００１７】
一方、特許文献１では、電解質膜に代えて、液状の電解質（電解液）を用いることが記載されている。電解液は、酸素電極と燃料電極との間に静止している場合もあるが、酸素電極と燃料電極との間に設けられた流路を流れ、外部に出たのち再び流路内に戻され、循環するようになっている場合もある。
【特許文献１】特開昭５９−１９１２６５号公報
【特許文献２】特開２００６−１６４８７２号公報
【発明の開示】
【発明が解決しようとする課題】
【００１８】
しかしながら、電解液を用いる燃料電池は、複数の燃料電池セルを縦方向または横方向に積層した燃料電池スタックシステムを考えた場合、従来の固体電解質膜を有するものよりも作製が困難であると共に、安定発電させることが難しいという問題があった。なぜなら、電解液を用いる燃料電池は、従来の固体電解質膜を用いるものとは異なり、燃料と、液状の電解質である電解液という二種の流動体の供給が必要であり、更に、燃料電池スタックシステムを構成した場合には、各燃料電池セルに二種の流動体がほぼ均一に供給されなければ安定発電が行えないからである。
【００１９】
通常、燃料電池スタックシステムに流動体を流す場合、全ての燃料電池セルに繋がっている主の流路に対して流動体を送り込み、そこから各燃料電池セルに供給するようにしている。つまり、流動体の供給は、並列接続で行われている。しかし、流動体を各燃料電池セルに均一に供給することは非常に困難であった。
【００２０】
まず、各燃料電池セルの流路の幅および高さを１００％均一に作製することは困難である。それに加えて、発電時に発生する二酸化炭素などが泡として流動体内に放出されることにより、流動体の流れを乱してしまうことから、様々な要因で各燃料電池セルの圧力損失が変化し、流動体が流れやすい燃料電池セルと流れにくい燃料電池セルとが必然的に現れてしまう。このような状況を回避し、流動体が流れやすい環境をつくるため、流路の高さに余裕を持たせる工夫などもあるが、その方法では燃料電池スタックシステムの厚みが増えてしまい、大型化してしまうことは言うまでもない。
【００２１】
ちなみに、特許文献２では、各燃料電池セルに対して個別のポンプおよびバルブを介して流動体を供給することが提案されている。しかし、この従来構造では、仮に３０個の燃料電池セルで構成される燃料電池スタックシステムを想定し、各燃料電池に２個のポンプが必要とした場合、全体で６０個のポンプが必要となる。よって、燃料電池スタックシステムの大半がポンプなどの供給用のデバイスに占められてしまうことになり、燃料電池スタックシステムが非常に大きなものとなってしまい、極めて非現実的である。
【００２２】
本発明はかかる問題点に鑑みてなされたもので、その目的は、簡易的な構成で燃料または電解液を各燃料電池セルに均一に供給することができる燃料電池スタックシステムおよびこれを用いた電子機器を提供することにある。
【課題を解決するための手段】
【００２３】
本発明による燃料電池スタックシステムは、複数の燃料電池セルを有し、複数の燃料電池セルの各々は、対向配置された燃料電極および酸素電極と、燃料電極および酸素電極との間に設けられ、電解液を流通させる電解液流路と、燃料電極の酸素電極とは反対側に設けられ、燃料を流通させる燃料流路と燃燃料流路と燃料電極との間に設けられた気液分離膜とを備え、電解液流路および燃料流路のうち少なくとも一方は、複数の燃料電池セルのうちの少なくとも一部について直列接続されているものである。
【００２４】
ここに直列接続とは、一つの燃料電池セルの燃料流路または電解液流路の出口が、次の燃料電池セルの燃料流路または電解液流路の入口に接続されていることをいう。なお、並列接続とは、全ての燃料電池セルに繋がっている主の流路があり、その主の流路から各燃料電池セルの燃料流路または電解液流路の入口に分岐して接続されていることをいう。
【００２５】
本発明の燃料電池スタックシステムでは、電解液流路および燃料流路のうち少なくとも一方が、複数の燃料電池セルのうちの少なくとも一部について直列接続されているので、ポンプまたはバルブ等の供給補機の数が少なくなり、構成が簡易となる。また、各燃料電池セル内における流動体の流れの不均一性または圧力損失の変化、内部特性などの影響が低減され、燃料または電解液が各燃料電池セルに均一に供給される。よって、発電の安定性が向上する。
【００２６】
本発明による電子機器は、複数の燃料電池セルを有する燃料電池スタックシステムを備えたものであって、燃料電池スタックシステムが、上記本発明の燃料電池スタックシステムにより構成されているものである。
【００２７】
本発明の電子機器では、上記本発明による安定発電可能な燃料電池スタックシステムを備えているので、燃料電池セルの数を増やしても安定発電が可能となり、消費電力の増大を伴う多機能化・高性能化にも対応可能となる。
【発明の効果】
【００２８】
本発明の燃料電池スタックシステムによれば、電解液流路および燃料流路のうち少なくとも一方を、複数の燃料電池セルのうちの少なくとも一部について直列接続するようにしたので、ポンプまたはバルブ等の供給補機の数を少なくし、構成を簡易とすることができる。また、各燃料電池セル内における流動体の流れの不均一性または圧力損失の変化、内部特性などの影響を低減し、燃料または電解液を各燃料電池セルに均一に供給することができる。よって、発電の安定性を向上させることができ、消費電力の大きな多機能・高性能の電子機器にも好適である。
【発明を実施するための最良の形態】
【００２９】
以下、本発明の実施の形態について詳細に説明する。
【００３０】
図１は本発明の一実施の形態に係る燃料電池スタックシステムを有する電子機器の概略構成を表すものである。この電子機器は、小型から大型の電力を必要とする機器であり、例えば、携帯電話やＰＤＡ（Personal Digital Assistant；個人用携帯情報機器）などのモバイル機器、ノート型ＰＣ（Personal Computer ）、カメラまたは自動車であり、燃料電池システム１と、この燃料電池システム１で発電される電気エネルギーにより駆動される外部回路（負荷）２とを備えている。
【００３１】
燃料電池スタックシステム１は、例えば、燃料電池スタック１１０と、この燃料電池スタック１１０の運転状態を測定する測定部１２０と、測定部１２０による測定結果に基づいて燃料電池スタック１１０の運転条件を決定する制御部１３０とを備えている。この燃料電池スタックシステム１は、また、燃料電池スタック１１０に電解液Ｆ１として、例えば硫酸を供給する電解質供給部１４０と、燃料Ｆ２として、例えばメタノールを供給する燃料供給部１５０とを備えている。このように電解質を流動体として供給することにより、電解質膜が不要となり、温度や湿度に影響されることなく発電を行うことができると共に、電解質膜を用いる通常の燃料電池に比べてイオン伝導度（プロトン伝導度）を高めることができる。また、電解質膜の劣化や、電解質膜の乾燥によるプロトン伝導性の低下のおそれがなくなり、酸素電極におけるフラッディングや水分管理などの問題も解消できる。
【００３２】
燃料電池スタック１１０は、複数（図１では例えば四つ）の燃料電池セル１１１を縦方向（積層方向）に積層したものである。図２は、図１に示した燃料電池スタック１１０の二つの燃料電池セル１１１（１１１Ａ，１１１Ｂ）の構成を表したものである。燃料電池セル１１１は、いわゆる直接型メタノールフロー型燃料電池（ＤＭＦＦＣ；Direct Methanol Flow Based Fuel Cell）であり、燃料電極（アノード）１０と酸素電極（カソード）２０とが対向配置された構成を有している。燃料電極１０と酸素電極２０との間には、電解液Ｆ１を流通させる電解液流路３０が設けられている。燃料電極１０の外側、すなわち酸素電極２０とは反対側には、燃料Ｆ２を流通させる燃料流路４０が設けられている。
【００３３】
燃料電極１０は、酸素電極２０側から順に、触媒層１１、拡散層１２および集電体１３を積層した構成を有し、外装部材１４に収納されている。また、燃料電極１０は、電解液Ｆ１と燃料Ｆ２とを隔てる分離膜としての機能も有しており、クロスオーバーを抑制し高エネルギー密度を得ることができるようになっている。酸素電極２０は、燃料電極側から順に、触媒層２１、拡散層２２および集電体２３を積層した構成を有し、外装部材２４に収納されている。なお、酸素電極２０には、この外装部材２４を介して空気すなわち酸素が供給されるようになっている。
【００３４】
触媒層１１，２１は、触媒として、例えば、パラジウム（Ｐｄ），白金（Ｐｔ），イリジウム（Ｉｒ），ロジウム（Ｒｈ）およびルテニウム（Ｒｕ）などの金属の単体または合金により構成されている。また、触媒層１１，２１には、触媒に加えて、プロトン伝導体およびバインダーが含まれていてもよい。プロトン伝導体としては、上述したポリパーフルオロアルキルスルホン酸系樹脂（デュポン社製「Ｎａｆｉｏｎ（登録商標）」）またはその他のプロトン伝導性を有する樹脂が挙げられる。バインダーは、触媒層１１，２１の強度や柔軟性を保つために添加されるものであり、例えばポリテトラフルオロエチレン（ＰＴＦＥ）やポリフッ化ビニリデン（ＰＶＤＦ）などの樹脂が挙げられる。
【００３５】
拡散層１２，２２は、例えば、カーボンクロス，カーボンペーパーまたはカーボンシートにより構成されている。拡散層１２，２２は、ポリテトラフルオロエチレン（ＰＴＦＥ）などにより撥水化処理が行われていることが望ましい。
【００３６】
集電体１３，２３は、例えばチタン（Ｔｉ）メッシュにより構成されている。
【００３７】
外装部材１４，２４は、例えば、厚みが２．０ｍｍであり、チタン（Ｔｉ）板または耐酸性金属板などの一般的に購入可能な材料により構成されているが、材料は特に限定されない。なお、外装部材１４，２４の厚みは薄ければ薄いほうが望ましい。
【００３８】
電解液流路３０および燃料流路４０は、例えば、樹脂シートを加工することにより微細な流路を形成したものであり、燃料電極１０に接着されている。なお、流路の本数は限定されない。また、流路の幅，高さおよび長さは特に限定されないものの、小さい方が望ましい。
【００３９】
電解液流路３０および燃料流路４０は、四つの燃料電池セル１１１の全部について直列接続されている。これにより、この燃料電池スタックシステム１では、簡易的な構成で燃料Ｆ２または電解液Ｆ１を各燃料電池セル１１１に均一に供給することができるようになっている。
【００４０】
具体的には、各燃料電池セル１１１には、外装部材２４に電解液入口２４Ａおよび電解液出口２４Ｂが設けられている。最初の燃料電池セル１１１Ａの電解液入口２４Ａは、電解液供給部１４０（図２には図示せず、図１参照。）に連結されており、電解液出口２４Ｂは、接続流路２４Ｃを介して次の燃料電池セル１１１Ｂの電解液入口２４Ａに繋がっている。よって、最初の燃料電池セル１１１の電解液入口２４Ａと、最後の燃料電池セル１１１の電解液出口２４Ｂとが電解液供給部１４０に接続され、それ以外の燃料電池セル１１１の電解液入口２４Ａは、一つ前の燃料電池セル１１１の電解液出口２４Ｂに接続されている。これにより、すべての燃料電池セル１１１の電解液流路３０が直列接続され、電解液供給部１４０から供給された電解液Ｆ１は最初の燃料電池セル１１１Ａの電解液入口２４Ａから入り、電解液出口２４Ｂから出て次の燃料電池セル１１１Ｂの電解液入口２４Ａに入り、同様にしてすべての燃料電池セル１１１を巡ったのち、最後の燃料電池セル１１１の電解液出口２４Ｂから出て電解液供給部１４０に戻るようになっている。
【００４１】
また、各燃料電池セル１１１には、外装部材１４に燃料入口１４Ａおよび燃料出口１４Ｂが設けられている。最初の燃料電池セル１１１Ａの燃料入口１４Ａは、燃料供給部１５０（図２には図示せず、図１参照。）に連結されており、燃料出口１４Ｂは、接続流路１４Ｃを介して次の燃料電池セル１１１Ｂの燃料入口１４Ａに繋がっている。よって、最初の燃料電池セル１１１の燃料入口１４Ａと、最後の燃料電池セル１１１の燃料出口１４Ｂとが燃料供給部１５０に接続され、それ以外の燃料電池セル１１１の燃料入口１４Ａは、一つ前の燃料電池セル１１１の燃料出口１４Ｂに接続されている。これにより、すべての燃料電池セル１１１の燃料流路４０が直列接続され、燃料供給部１５０から供給された燃料Ｆ２は最初の燃料電池セル１１１Ａの燃料入口１４Ａから入り、燃料出口１４Ｂから出て次の燃料電池セル１１１Ｂの燃料入口１４Ａに入り、同様にしてすべての燃料電池セル１１１を巡ったのち、最後の燃料電池セル１１１の燃料出口１４Ｂから出て燃料供給部１５０に戻るようになっている。
【００４２】
燃料入口１４Ａおよび燃料出口１４Ｂと、電解液入口２４Ａおよび電解液出口２４Ｂとは、例えば、樹脂製の継手でもよいし、接着性のある樹脂シートを貼り合わせて流路を形成したものでもよい。前者の場合、接続流路１４Ｃ，２４Ｃは例えばシリコーンチューブにより構成することができる。後者の場合、接続流路１４Ｃ，２４Ｃは、接着性のある樹脂シートを貼り合わせて流路を形成したものとすることができる。なお、電解液入口２４Ａおよび電解液出口２４Ｂと、燃料入口１４Ａおよび燃料出口１４Ｂとは、必ずしも外装部材２４，１４に分けて形成されている必要はなく、外装部材２４Ａまたは外装部材１４Ａのいずれか一方のみに設けられていてもよい。その場合、内部の流路構成により電解液Ｆ１を電解液流路３０に、燃料Ｆ２を燃料流路４０に振り分けるようにすることができる。
【００４３】
各接続流路２４Ｃ，１４Ｃには、分離室１６０が設けられている。接続流路２４Ｃに設けられた分離室１６０は、電解液出口２４Ｂから出てきた電解液Ｆ１には拡散してきた燃料（メタノール）、あるいは燃料電極１０で発生した二酸化炭素の泡などが混ざっている可能性があるため、そのような二酸化炭素を除去し、または燃料を分離するものである。接続流路１４Ｃに設けられた分離室１６０は、燃料出口１４Ｂから出てきた燃料Ｆ２には燃料電極１０で発生した二酸化炭素の泡などが混ざっている可能性があるため、その二酸化炭素を除去するものである。メタノール分離機構は、例えば、フィルター、またはメタノールを燃焼，反応もしくは蒸発により除去する機構により構成されている。二酸化炭素を除去する機構は、例えば、フィルター、または反応により除去する機構により構成されている。なお、分離室１６０は、必ずしも接続流路２４Ｃ，１４Ｃに設けなければならないわけではなく、各燃料電池セル１１１の上面，下面もしくは側面に設けられていてもよい。
【００４４】
燃料電池スタック１１０の複数の燃料電池セル１１１は、電気的に直列、または、仕様によっては並列に接続されている。燃料電池スタック１１０の繰り返し発電を行うことにより、燃料電池セル１１１の劣化は起きてしまう。また、必ず燃料電池セル１１１の特性には若干のばらつきが存在し、劣化しやすい燃料電池セル１１１と劣化しにくい燃料電池セル１１１とが現れてくる。よって、このような状況下でも燃料電池スタック１１０としての発電を継続して行うために、燃料電池スタック１１０は、劣化により発電にまったく貢献できない燃料電池セル１１１が現れると、その燃料電池セル１１１との電気的接続を切断し、次の燃料電池セル１１１に直接接続されるような電気回路構成になっていることが望ましい。
【００４５】
図１に示した測定部１２０は、燃料電池スタック１１０の動作電圧および動作電流を測定するものであり、例えば、燃料電池スタック１１０の動作電圧を測定する電圧測定回路１２１と、動作電流を測定する電流測定回路１２２と、得られた測定結果を制御部１３０に送るための通信ライン１２３とを有している。
【００４６】
図１に示した制御部１３０は、測定部１２０の測定結果に基づいて、燃料電池スタック１１０の運転条件として電解質供給パラメータおよび燃料供給パラメータの制御を行うものであり、例えば、演算部１３１、記憶（メモリ）部１３２、通信部１３３および通信ライン１３４を有している。ここで、電解質供給パラメータは、例えば、電解液Ｆ１の供給流速を含んでいる。燃料供給パラメータは、例えば、燃料Ｆ２の供給流速および供給量を含み、必要に応じて供給濃度を含んでいてもよい。制御部１３０は、例えばマイクロコンピュータにより構成することができる。
【００４７】
演算部１３１は、測定部１２０で得られた測定結果から燃料電池スタック１１０の出力を算出し、電解液供給パラメータおよび燃料供給パラメータを設定するものである。具体的には、演算部１３１は、記憶部１３２に入力された各種測定結果から一定間隔でサンプリングしたアノード電位、カソード電位、出力電圧および出力電流を平均して、平均アノード電位、平均カソード電位、平均出力電圧および平均出力電流を算出し、記憶部１３２に入力すると共に、記憶部１３２に保存されている各種平均値を相互比較し、電解液供給パラメータおよび燃料供給パラメータを判定するようになっている。
【００４８】
記憶部１３２は、測定部１２０から送られてきた各種測定値や、演算部１３１により算出された各種平均値などを記憶するものである。
【００４９】
通信部１３３は、通信ライン１２３を介して測定部１２０から測定結果を受け取り、記憶部１３２に入力する機能と、通信ライン１３４を介して電解液供給部１４０および燃料供給部１５０に電解液供給パラメータおよび燃料供給パラメータを設定する信号をそれぞれ出力する機能とを有している。
【００５０】
図１に示した電解液供給部１４０は、電解液貯蔵部１４１と、電解液供給調整部１４２と、電解液供給ライン１４３とを備えている。電解液貯蔵部１４１は、電解液Ｆ１を貯蔵するものであり、例えばタンクまたはカートリッジにより構成されている。電解液供給調整部１４２は、電解液Ｆ１の供給流速を調整するものである。電解液供給調整部１４２は、制御部１３０からの信号で駆動されうるものであればよく、特に限定されるものではないが、例えば、モータや圧電素子で駆動されるバルブ、または電磁ポンプにより構成されていることが好ましい。
【００５１】
図１に示した燃料供給部１５０は、燃料貯蔵部１５１と、燃料供給調整部１５２と、燃料供給ライン１５３とを有している。燃料貯蔵部１５１は、燃料Ｆ２を貯蔵するものであり、例えばタンクまたはカートリッジにより構成されている。燃料供給調整部１５２は、燃料Ｆ２の供給流速および供給量を調整するものである。燃料供給調整部１５２は、制御部１３０からの信号で駆動されうるものであればよく、特に限定されるものではないが、例えば、モータや圧電素子で駆動されるバルブ、または電磁ポンプにより構成されていることが好ましい。なお、燃料供給部１５０は、燃料Ｆ２の供給濃度を調整する濃度調整部（図示せず）を備えていてもよい。濃度調整部は、燃料Ｆ２として純（９９．９％）メタノールを用いる場合には省略することができ、より小型化することができる。
【００５２】
この燃料電池スタックシステム１は、例えば、次のようにして製造することができる。
【００５３】
まず、触媒として例えば白金（Ｐｔ）とルテニウム（Ｒｕ）とを所定の比で含む合金と、ポリパーフルオロアルキルスルホン酸系樹脂（デュポン社製「Ｎａｆｉｏｎ（登録商標）」）の分散溶液とを所定の比で混合し、燃料電極１０の触媒層１１を形成する。この触媒層１１を、上述した材料よりなる拡散層１２に熱圧着する。更に、上述した材料よりなる集電体１３を、ホットメルト系の接着剤または接着性のある樹脂シートを用いて熱圧着し、燃料電極１０を形成する。
【００５４】
また、触媒として白金（Ｐｔ）をカーボンに担持させたものと、ポリパーフルオロアルキルスルホン酸系樹脂（デュポン社製「Ｎａｆｉｏｎ（登録商標）」）の分散溶液とを所定の比で混合し、酸素電極２０の触媒層２１を形成する。この触媒層２１を、上述した材料よりなる拡散層２２に熱圧着する。更に、上述した材料よりなる集電体２３を、ホットメルト系の接着剤または接着性のある樹脂シートを用いて熱圧着し、酸素電極２０を形成する。
【００５５】
次いで、接着性のある樹脂シートを用意し、この樹脂シートに流路を形成して電解液流路３０および燃料流路４０を作製し、燃料電極１０の両側に熱圧着する。
【００５６】
続いて、上述した材料よりなる外装部材１４，２４を作製し、外装部材１４には燃料入口１４Ａおよび燃料出口１４Ｂを設け、外装部材２４には電解液入口２４Ａおよび電解液出口２４Ｂを設ける。
【００５７】
そののち、燃料電極１０と酸素電極２０とを、電解液流路３０を両者の間に、燃料流路３０を外側にして対向配置し、外装部材１４，２４に収納する。これにより図２に示した一つの燃料電池セル１１１が形成される。
【００５８】
同様にして複数の燃料電池セル１１１を作製して、縦方向に積層し、一つの燃料電池セルの電解液出口２４Ｂを、接続流路２４Ｃにより次の燃料電池セル１１１の電解液入口２４Ａに接続し、燃料出口１４Ｂを、接続流路１４Ｃにより次の燃料電池セル１１１の燃料入口１４Ａに接続する。また、各接続流路１４Ｃ，２４Ｃの途中には、分離室１６０を接続する。これにより燃料電池スタック１１０が形成される。
【００５９】
この燃料電池スタック１１０を、上述した構成を有する測定部１２０，制御部１３０，電解液供給部１４０および燃料供給部１５０を有するシステムに組み込み、最初の燃料電池セル１１１の燃料入口１４Ａおよび最後の燃料電池セル１１１の燃料出口１４Ｂと、燃料供給部１５０とを例えばシリコーンチューブよりなる燃料供給ライン１５３で接続する。また、最初の燃料電池セル１１１の電解液入口２４Ａおよび最後の燃料電池セル１１１の電解液出口２４Ｂと、電解液供給部１４０とを例えばシリコーンチューブよりなる電解液供給ライン１４３で接続する。以上により図１に示した燃料電池スタックシステム１が完成する。
【００６０】
この燃料電池スタックシステム１では、各燃料電池セル１１１において、燃料電極１０に燃料Ｆ２が供給され、反応によりプロトンと電子とを生成する。プロトンは電解液Ｆ１を通って酸素電極２０に移動し、電子および酸素と反応して水を生成する。燃料電極１０、酸素電極２０および燃料電池セル１１１全体で起こる反応は、化２で表される。これにより、燃料であるメタノールの化学エネルギーの一部が電気エネルギーに変換されて、燃料電池スタック１１０から電流が取り出され、外部回路２が駆動される。
【００６１】
（化２）
燃料電極１０：ＣＨ3 ＯＨ＋Ｈ2 Ｏ→ＣＯ2 ＋６ｅ- ＋６Ｈ+ 
酸素電極２０：（３／２）Ｏ2 ＋６ｅ- ＋６Ｈ+ →３Ｈ2 Ｏ
燃料電池セル１１１全体：ＣＨ3 ＯＨ＋（３／２）Ｏ2 →ＣＯ2 ＋２Ｈ2 Ｏ
【００６２】
燃料電池スタック１１０の運転中には、測定部１２０により燃料電池スタック１１０の動作電圧および動作電流が測定され、その測定結果に基づいて、制御部１３０により、燃料電池スタック１１０の運転条件として上述した電解液供給パラメータおよび燃料供給パラメータの制御が行われる。測定部１２０による測定および制御部１３０によるパラメータ制御は頻繁に繰り返され、燃料電池スタック１１０の特性変動に追従して電解液Ｆ１および燃料Ｆ２の供給状態が最適化される。
【００６３】
ここでは、電解液流路３０および燃料流路４０は、四つの燃料電池セル１１１の全部について直列接続されている。電解液供給部１４０から供給された電解液Ｆ１は、最初の燃料電池セル１１１Ａの電解液入口２４Ａから入り、電解液出口２４Ｂから出て次の燃料電池セル１１１Ｂの電解液入口２４Ａに入り、同様にしてすべての燃料電池セル１１１を巡ったのち、最後の燃料電池セル１１１の電解液出口２４Ｂから出て電解液供給部１４０に戻る。また、燃料供給部１５０から供給された燃料Ｆ２は、最初の燃料電池セル１１１Ａの燃料入口１４Ａから入り、燃料出口１４Ｂから出て次の燃料電池セル１１１Ｂの燃料入口１４Ａに入り、同様にしてすべての燃料電池セル１１１を巡ったのち、最後の燃料電池セル１１１の燃料出口１４Ｂから出て燃料供給部１５０に戻る。よって、各燃料電池セル１１１内における電解液Ｆ１または燃料Ｆ２の流れの不均一性または圧力損失の変化、内部特性などの影響が低減され、燃料Ｆ２または電解液Ｆ１が各燃料電池セル１１１に均一に供給される。よって、発電の安定性が向上する。
【００６４】
このように本実施の形態では、電解液流路３０および燃料流路４０を、複数の燃料電池セル１１１の全部について直列接続するようにしたので、ポンプまたはバルブ等の供給補機の数を少なくし、構成を簡易とすることができる。また、各燃料電池セル１１１内における電解液Ｆ１または燃料Ｆ２の流れの不均一性または圧力損失の変化、内部特性などの影響を低減し、燃料Ｆ２または電解液Ｆ１を各燃料電池セル１１１に均一に供給することができる。よって、発電の安定性を向上させることができ、消費電力の大きな多機能・高性能の電子機器にも好適である。
【００６５】
なお、上記実施の形態では、電解液流路３０および燃料流路４０が、複数の燃料電池セル１１１の全部について直列接続されている場合について説明したが、図３に示したように、燃料流路４０および電解液流路３０は、複数の燃料電池セル１１１のうちの一部、例えば燃料電池セル１１１Ａ，１１１Ｂ，１１１Ｃについて直列接続され、燃料電池セル１１１Ｄについては並列接続されていてもよい。この場合、燃料Ｆ２Ｓおよび電解液Ｆ１Ｓは、燃料電池セル１１１Ａ，１１１Ｂ，１１１Ｃについて直列に流通し、燃料Ｆ２Ｐおよび電解液Ｆ１Ｐは、燃料電池セル１１１Ｄについて並列に流通する。
【００６６】
また、図４および図５に示したように、電解液流路３０および燃料流路４０のうちの一方が、複数の燃料電池セル１１１の全部について直列接続されていてもよい。なお、図４は、電解液流路３０が、複数の燃料電池セル１１１の全部について直列接続されている場合、図５は、燃料流路４０が、複数の燃料電池セル１１１の全部について直列接続されている場合を表している。
【００６７】
更に、図６に示したように、燃料流路４０は、複数の燃料電池セル１１１のうちの一部、例えば燃料電池セル１１１Ａ，１１１Ｂ，１１１Ｃについて直列接続され、電解液流路３０は、複数の燃料電池セル１１１の全部について並列接続されていてもよい。この場合、燃料Ｆ２Ｓは、燃料電池セル１１１Ａ，１１１Ｂ，１１１Ｃについて直列に流通し、燃料Ｆ２Ｐは、燃料電池セル１１１Ｄについて並列に流通する。
【００６８】
加えて、図７に示したように、燃料流路４０は、複数の燃料電池セル１１１の全部について並列接続され、電解液流路３０は、複数の燃料電池セル１１１のうちの一部、例えば燃料電池セル１１１Ａ，１１１Ｂ，１１１Ｃについて直列接続され、燃料電池セル１１１Ｄについては並列接続されていてもよい。この場合、電解液Ｆ１Ｓは、燃料電池セル１１１Ａ，１１１Ｂ，１１１Ｃについて直列に流通し、電解液Ｆ１Ｐは、燃料電池セル１１１Ｄについて並列に流通する。
【００６９】
図３ないし図７に示した変形例においては、電解液流路３０および燃料流路４０の直列接続されている部分をできるだけ増やしたほうが好ましい。より簡易な構成とすることができると共に発電の安定性もより向上させることができるからである。
【実施例】
【００７０】
更に、本発明の具体的な実施例について説明する。なお、以下の実施例では、図２に示したような二つの燃料電池セル１１１Ａ，１１１Ｂよりなる燃料電池スタック１１０を作製し、特性を評価した。よって、以下の実施例においても、図１および図２を参照し、同一の符号を用いて説明する。
【００７１】
図２と同様の構成を有する燃料電池スタック１１０を作製した。まず、触媒として白金（Ｐｔ）とルテニウム（Ｒｕ）とを所定の比で含む合金と、ポリパーフルオロアルキルスルホン酸系樹脂（デュポン社製「Ｎａｆｉｏｎ（登録商標）」）の分散溶液とを所定の比で混合し、燃料電極１０の触媒層１１を形成した。この触媒層１１を、上述した材料よりなる拡散層１２（Ｅ−ＴＥＫ社製；ＨＴ−２５００）に対して、温度１５０℃、圧力２４９ｋＰａの条件下で１０分間熱圧着した。更に、上述した材料よりなる集電体１３を、ホットメルト系の接着剤または接着性のある樹脂シートを用いて熱圧着し、燃料電極１０を形成した。
【００７２】
また、触媒として白金（Ｐｔ）をカーボンに担持させたものと、ポリパーフルオロアルキルスルホン酸系樹脂（デュポン社製「Ｎａｆｉｏｎ（登録商標）」）の分散溶液とを所定の比で混合し、酸素電極２０の触媒層２１を形成した。この触媒層２１を、上述した材料よりなる拡散層２２（Ｅ−ＴＥＫ社製；ＨＴ−２５００）に対して、燃料電極１０の触媒層１１と同様にして熱圧着した。更に、上述した材料よりなる集電体２３を、燃料電極１０の集電体１３と同様にして熱圧着し、酸素電極２０を形成した。
【００７３】
次いで、接着性のある樹脂シートを用意し、この樹脂シートに流路を形成して電解液流路３０および燃料流路４０を作製し、燃料電極１０の両側に熱圧着した。
【００７４】
続いて、上述した材料よりなる外装部材１４，２４を作製し、外装部材１４には、例えば樹脂製の継手よりなる燃料入口１４Ａおよび燃料出口１４Ｂを設け、外装部材２４には、例えば樹脂製の継手よりなる電解液入口２４Ａおよび電解液出口２４Ｂを設けた。
【００７５】
そののち、燃料電極１０と酸素電極２０とを、電解液流路３０を両者の間に、燃料流路４０を外側にして対向配置し、外装部材１４，２４に収納した。
【００７６】
このようにして二つの燃料電池セル１１１Ａ，１１１Ｂを作製して、縦方向に積層し、電解液流路３０および燃料流路４０を二つの燃料電池セル１１１Ａ，１１１Ｂについて直列接続した。すなわち、燃料電池セル１１１Ａの電解液出口２４Ｂを、シリコーンチューブよりなる接続流路２４Ｃにより燃料電池セル１１１Ｂの電解液入口２４Ａに接続し、燃料電池セル１１１Ａの燃料出口１４Ｂを、シリコーンチューブよりなる接続流路１４Ｃにより燃料電池セル１１１Ｂの燃料入口１４Ａに接続した。また、各接続流路１４Ｃ，２４Ｃの途中には、分離室１６０を接続した。これにより図２に示した燃料電池スタック１１０が完成した。
【００７７】
この燃料電池スタック１１０を、上述した構成を有する測定部１２０，制御部１３０，電解液供給部１４０および燃料供給部１５０を有するシステムに組み込み、図１に示した燃料電池スタックシステム１を構成した。その際、電解液供給調整部１４２および燃料供給調整部１５２をダイアフラム式定量ポンプ（株式会社ＫＮＦ社製）により構成した。燃料電池セル１１１Ａの燃料入口１４Ａおよび燃料電池セル１１１Ｂの燃料出口１４Ｂと、燃料供給調整部１５２のポンプとを、シリコーンチューブよりなる燃料供給ライン１５３で接続すると共に、燃料電池セル１１１Ａの電解液入口２４Ａおよび燃料電池セル１１１Ｂの電解液出口２４Ｂと、電解液供給調整部１４２のポンプとを、シリコーンチューブよりなる電解液供給ライン１４３に接続し、任意の流速で電解液Ｆ１および燃料Ｆ２が電解液流路３０および燃料流路４０にそれぞれ供給されるようにした。電解液Ｆ１としては１Ｍ硫酸を用い、流速は１．０ｍｌ／ｍｉｎとした。燃料Ｆ２としては５Ｍメタノールと１Ｍ硫酸との混合液を用い、流速は０．５ｍｌ／ｍｉｎとした。
【００７８】
（評価）
得られた燃料電池スタックシステム１について、電気化学測定装置（ソーラートロン社製、マルチスタット１４８０）に接続し、特性評価を行った。測定初期における開回路電圧（ＯＣＶ；Open Circuit Voltage）および定電流１Ａで発電させたときの各燃料電池セル１１１Ａ，１１１Ｂおよび燃料電池スタック１１０の特性を調べた。その結果を図８および図９に示す。
【００７９】
図８は、測定初期におけるＯＣＶを表したものである。約１８０秒間保持した状態であり、ＯＣＶは高い値を示し、上昇している。ＯＣＶの値が１．３Ｖ以上であることから、一つの燃料電池セルあたり０．６５Ｖ以上となり、通常のＤＭＦＣのＯＣＶ（約０．４Ｖ〜０．５Ｖ）に比べてはるかに高い値を示している。これは、電解液Ｆ１を用いることで燃料クロスオーバーが抑えられているからであると考えられる。また、燃料電池スタック１１０のＯＣＶの値が一つの燃料電池セル１１１Ａ，１１１ＢのＯＣＶの値の約２倍になっていることから、電解液流路３０および燃料流路４０を直列接続することには問題はないことが伺われた。
【００８０】
更に、図９から分かるように、定電流１Ａでの燃料電池スタック１１０の特性は安定していた。すなわち、電解液流路３０および燃料流路４０を、複数の燃料電池セル１１１Ａ，１１１Ｂについて直列接続すれば、発電の安定性を向上させることができることが分かった。
【００８１】
以上、実施の形態および実施例を挙げて本発明を説明したが、本発明は、上記実施の形態および実施例に限定されるものではなく、種々変形することができる。例えば、上記実施の形態および実施例では、燃料電極１０，酸素電極２０，燃料流路３０および電解液流路４０の構成について具体的に説明したが、他の構造あるいは他の材料により構成するようにしてもよい。例えば、燃料流路３０は、上記実施の形態および実施例で説明したような樹脂シートを加工して流路を形成したもののほか、多孔質などのシートにより構成してもよい。
【００８２】
また、例えば、上記実施の形態および実施例では、複数の燃料電池セル１１１を縦方向（積層方向）に積層して燃料電池スタック１１０を構成した場合について説明したが、本発明は、例えば図１０に示したように、複数の燃料電池セル１１１を横方向（積層面内方向）に積層して燃料電池スタック１１０を構成する場合にも適用することができる。
【００８３】
更に、図１１に示したように、燃料流路４０と燃料電極１０との間に気液分離膜５０を設けるようにしてもよい。気液分離膜５０は、例えばポリテトラフルオロエチレン（ＰＴＦＥ），ポリフッ化ビニリデン（ＰＶＤＦ）またはポリプロピレン（ＰＰ）などアルコールを液体の状態で透過させない膜により構成することができる。このような気液分離膜５０を設けた場合、燃料である純メタノールは液体の状態で燃料流路４０を流れる際に自然揮発し、気液分離膜５０と接する面から気体Ｇの状態で気液分離膜５０を通りぬけ、燃料電極１０に供給される。よって、燃料が効率よく燃料電極１０に供給され、反応が安定して行われる。また、燃料が気体の状態で燃料電極１０に供給されるので、電極反応活性が高くなり、クロスオーバーも生じにくく、高負荷の外部回路２を有する電子機器においても高い性能が得られる。更に、燃料Ｆ２として純（９９．９％）メタノールを用いることができ、燃料電池の特徴である高エネルギー密度特性を更に活かすことができると共に、燃料供給部１５０において、燃料Ｆ２の供給濃度を調整する濃度調整部を省略することができ、より小型化することができる。
【００８４】
加えて、例えば、上記実施の形態および実施例において説明した各構成要素の材料および厚み、または燃料電池スタック１１０の発電条件などは限定されるものではなく、他の材料および厚みとしてもよく、または他の発電条件としてもよい。
【００８５】
更にまた、上記実施の形態では、燃料電極１２に燃料供給部１５０から燃料Ｆ２を供給する場合について説明したが、燃料電極１２を密閉型とし、必要に応じて燃料Ｆ２を供給するようにしてもよい。
【００８６】
加えてまた、例えば、燃料Ｆ２は、メタノールのほか、エタノールやジメチルエーテルなどの他の液体燃料でもよい。電解液Ｆ１は、プロトン（Ｈ+ ）伝導性を有するものであれば特に限定されず、例えば、硫酸のほか、リン酸またはイオン性液体が挙げられる。
【００８７】
更にまた、本発明は、液体燃料を用いる燃料電池に限らず、水素など液体燃料以外の物質を燃料として用いる燃料電池についても適用可能である。
【００８８】
更にまた、上記実施の形態および実施例では、酸素電極２０への空気の供給を自然換気とするようにしたが、ポンプなどを利用して強制的に供給するようにしてもよい。その場合、空気に代えて酸素または酸素を含むガスを供給するようにしてもよい。
【図面の簡単な説明】
【００８９】
【図１】本発明の一実施の形態に係る燃料電池スタックシステムを備えた電子機器の概略構成を表す図である。
【図２】図１に示した燃料電池スタックの二つの燃料電池セルの構成を表す図である。
【図３】電解質流路および燃料流路の他の接続構成例を表す図である。
【図４】電解質流路および燃料流路の更に他の接続構成例を表す図である。
【図５】電解質流路および燃料流路の更に他の接続構成例を表す図である。
【図６】電解質流路および燃料流路の更に他の接続構成例を表す図である。
【図７】電解質流路および燃料流路の更に他の接続構成例を表す図である。
【図８】本発明の実施例の結果を表す図である。
【図９】本発明の実施例の結果を表す図である。
【図１０】本発明の変形例に係る燃料電池スタックの二つの燃料電池セルの構成を表す図である。
【図１１】本発明の変形例に係る燃料電池スタックの二つの燃料電池セルの構成を表す図である。
【符号の説明】
【００９０】
１…燃料電池スタックシステム、２…外部回路（負荷）、１０…燃料電極、２０…酸素電極、３０…電解液流路、４０…燃料流路、５０…気液分離膜、１１０…燃料電池スタック、１１１，１１１Ａ，１１１Ｂ，１１１Ｃ，１１１Ｄ…燃料電池セル、１２０…測定部、１３０…制御部、１４０…電解液供給部、１５０…燃料供給部、１６０…分離室
【図１】
0005182473.tif 000002
【図２】
0005182473.tif 000003
【図３】
0005182473.tif 000004
【図４】
0005182473.tif 000005
【図５】
0005182473.tif 000006
【図６】
0005182473.tif 000007
【図７】
0005182473.tif 000008
【図８】
0005182473.tif 000009
【図９】
0005182473.tif 000010
【図１０】
0005182473.tif 000011
【図１１】
0005182473.tif 000012